(57)【要約】      （修正有）【課題】組み立てが終了後でも収容空間内に収容されている電子装置を傷つけずに便利に収容空間にアクセスすることができる電子装置の収容ケースを提供する。【解決手段】一対の第１の当接面４２１にそれぞれ一対の第１の案内部７１が形成され、蓋手段６が蓋として開口を覆うようにケース本体４に取付けられる際、一対の第１の案内部７１とそれぞれ嵌まり合いながら第１の案内部の延伸方向に沿う摺動により蓋手段が蓋として開口を覆う割合を調整することができるように、蓋手段の一対の第２の当接面６２１にそれぞれ一対の第２の案内部７２が形成されている。【選択図】図３
0003203805.tif 000002
【実用新案登録請求の範囲】
【請求項１】
複数のコイルユニットを有する電子装置を収容することができる電子装置の収容ケースであって、
前記電子装置を収容することができる収容空間を囲むことができるように形成されていると共に、互いに略平行するように配置されている一対の第１の当接面を有し、且つ前記一対の第１の当接面の間に、前記収容空間と連通する開口が形成されているケース本体と、
蓋として前記開口を覆うように前記ケース本体に取付けられることができるように形成されていると共に、蓋として前記開口を覆うように前記ケース本体に取付けられる際、前記ケース本体に形成された前記一対の第１の当接面とそれぞれ当接することができるように配置形成された一対の第２の当接面が形成されている蓋手段とを具えている上、
前記一対の第１の当接面が互いに略平行する方向に沿って延伸するように前記一対の第１の当接面にそれぞれ形成されている一対の第１の案内部と、
前記蓋手段が蓋として前記開口を覆うように前記ケース本体に取付けられる際、前記一対の第１の案内部とそれぞれ嵌まり合うことが出来、且つ前記一対の第１の案内部と嵌まり合いながら該第１の案内部の延伸方向に沿う摺動により前記蓋手段が蓋として前記開口を覆う割合を調整することができるように前記蓋手段の前記一対の第２の当接面にそれぞれ形成されている一対の第２の案内部と、からなる案内手段を更に具えていることを特徴とする電子装置の収容ケース。
【請求項２】
前記電子装置が有するコイルユニットと電気的に接続することができる複数の端子が前記ケース本体から突出するように取付けられていることを特徴とする請求項１に記載の電子装置の収容ケース。
【請求項３】
前記ケース本体は、互いに平行している一対の第１の対辺及び前記一対の第１の対辺と略直交している一対の第２の対辺を有するように略四角形に形成された底板と、該底板の前記一対の第１の対辺から前記底板と略直交するように突起し、且つ互いに平行している一対の第１の側壁、及び前記一対の第２の対辺から前記第１の側壁と同じ側へ突起し、且つ互いに平行している一対の第２の側壁を有するように形成され、前記一対の第１の当接面は、前記一対の第１の側壁の外側にそれぞれ配置されており、
前記蓋手段は、前記底板に対応して略四角形に形成された蓋板と、前記一対の第１の側壁と向かい合うことができるように前記蓋板の周縁から突起する一対の第１の周壁、及び前記一対の第２の側壁と向かい合うことができるように前記蓋板の周縁から突起する一対の第２の周壁とを有するように形成され、前記一対の第２の当接面は、前記一対の第１の周壁の内側において前記一対の第１の当接面に対応するように配置されていることを特徴とする請求項２に記載の電子装置の収容ケース。
【請求項４】
前記ケース本体が有する前記一対の第１の側壁は、該第１の側壁が有する前記第１の当接面と略直交し、且つ前記蓋手段が有する対応の前記第１の周壁に当接して前記第１の周壁を支持することができる支持面を更に有するように形成されていることを特徴とする請求項３に記載の電子装置の収容ケース。
【請求項５】
前記一対の第２の案内部は、前記一対の第２の当接面にそれぞれ凹設され、且つ互いに平行している一対の案内溝であり、
前記一対の第１の案内部は、前記一対の第１の当接面からそれぞれ突起し、且つ前記一対の案内溝にそれぞれ嵌め込まれることができるよう形成されている一対の案内突起であることを特徴とする請求項２に記載の電子装置の収容ケース。
【請求項６】
前記一対の案内溝として形成された前記一対の第２の案内部には、係止突起がそれぞれ形成されており、
前記一対の案内突起として形成された前記一対の第１の案内部には、前記蓋手段が蓋として前記開口を覆う際、前記係止突起をそれぞれ受入れて一時的に係止することができるように形成された係止凹部がそれぞれ形成されていることを特徴とする請求項５に記載の電子装置の収容ケース。
【考案の詳細な説明】
【技術分野】
【０００１】
本考案は、電子装置の収容ケースに関し、特に複数のコイルユニットを有する電子装置を収容する電子装置の収容ケースに関する。
【背景技術】
【０００２】
コイルユニットを有する電子装置を収容する従来の電子装置の収容ケースとして、例えば図１に示されている構成を有するものがある。図１に示されているように、該従来の電子装置の収容ケース１は、コイルユニットを有する電子装置１０が取付けられている取付け板１１と、取付け板１１を挿通するように、取付け板１１に取付けられていると共に、電子装置１０に電気的に接続されている複数の端子１２と、取付け板１１に取付けられている際、コイルユニットを有する電子装置１０を収容する収容空間を取付け板１１と共に囲むケース本体１３と、を有するように構成されている上、ケース本体１３は接着剤１４により取付け板１１に固着されている。
【０００３】
このため、ケース本体１３が取付け板１１に固着された後、ケース本体１３を取付け板１１から取り外す必要がある場合、ケース本体１３と取付け板１１との接着剤１４による接着箇所を破壊する必要があるだけでなく、この際に、収容空間内に収容されている電子装置１０を傷つける可能性もある。
【０００４】
また、図２に従来の電子装置の収容ケースの他の構成例が示されており、該従来の電子装置の収容ケース２は、コイルユニットを有する電子装置２０を複数収容する収容空間を囲みながら、該収容空間と連通する開口が形成されているケース部２１と、前記開口を覆うようにケース部２１に取付けることができる蓋部２３と、ケース部２１を挿通するようにケース部２１に取付けられていると共に、電子装置２０に電気的に接続されている複数の端子２２と、蓋部２３をケース部２１に固定することができる係合手段２４とを備え、そして係合手段２４は、ケース部２１に設けられている第１のフック部２４１と、蓋部２３が前記開口を覆う際、第１のフック部２４１と係合することができるように蓋部２３に設けられている第２のフック部２４２とを有するように構成されている。
【０００５】
この電子装置の収容ケース２では、接着剤を使用せずに、第１のフック部２４１と第２のフック部２４２との係合により蓋部２３をケース部２１に固定する構成になっているが、蓋部２３がケース部２１に固定された後、蓋部２３をケース部２１から取り外す必要がある場合、特定の工具を使わなければ第２のフック部２４２と第１のフック部２４１との係合を解除することが難しい問題点がある。
【考案の概要】
【考案が解決しようとする課題】
【０００６】
上記問題点に鑑みて、本考案は組み立てが終了後でも収容空間内に収容されている電子装置を傷つけず、且つ便利に収容空間にアクセスすることができる電子装置の収容ケースの提供を目的とする。
【課題を解決するための手段】
【０００７】
上記目的を達成する手段として、本考案は、複数のコイルユニットを有する電子装置を収容することができる電子装置の収容ケースであって、前記電子装置を収容することができる収容空間を囲むことができるように形成されていると共に、互いに略平行するように配置されている一対の第１の当接面を有し、且つ前記一対の第１の当接面の間に、前記収容空間と連通する開口が形成されているケース本体と、蓋として前記開口を覆うように前記ケース本体に取付けられることができるように形成されていると共に、蓋として前記開口を覆うように前記ケース本体に取付けられる際、前記ケース本体に形成された前記一対の第１の当接面とそれぞれ当接することができるように配置形成された一対の第２の当接面が形成されている蓋手段とを具えている上、前記一対の第１の当接面が互いに略平行する方向に沿って延伸するように前記一対の第１の当接面にそれぞれ形成されている一対の第１の案内部と、前記蓋手段が蓋として前記開口を覆うように前記ケース本体に取付けられる際、前記一対の第１の案内部とそれぞれ嵌まり合うことが出来、且つ前記一対の第１の案内部と嵌まり合いながら該第１の案内部の延伸方向に沿う摺動により前記蓋手段が蓋として前記開口を覆う割合を調整することができるように前記蓋手段の前記一対の第２の当接面にそれぞれ形成されている一対の第２の案内部と、からなる案内手段を更に具えていることを特徴とする電子装置の収容ケースを提供する。
【考案の効果】
【０００８】
上記構成によれば、本考案の電子装置の収容ケースは、一対の第１の案内部と、蓋手段が蓋として前記開口を覆うように前記ケース本体に取付けられる際、前記一対の第１の案内部とそれぞれ嵌まり合うことが出来、且つ前記一対の第１の案内部と嵌まり合いながら該第１の案内部の延伸方向に沿う摺動により前記蓋手段が蓋として前記開口を覆う割合を調整することができるように蓋手段にそれぞれ形成されている一対の第２の案内部と、からなる案内手段を具えているので、前記蓋手段が蓋として前記ケース本体の開口を覆うように前記ケース本体に取付けられた後でも、前記案内手段が持つ前記一対の第１の案内部及び一対の第２の案内部との対応により、前記蓋手段が蓋として前記開口を覆う割合を調整することができるので、前記収容空間内に収容されている電子装置を傷つけずに且つ便利に収容空間にアクセスすることができる電子装置の収容ケースを提供することができる。
【図面の簡単な説明】
【０００９】
【図１】従来の電子装置の収容ケースの一例の構成が示されている断面図である。
【図２】従来の電子装置の収容ケースの他の一例の構成が示されている分解斜視図である。
【図３】本考案の電子装置の収容ケースの構成例が示されている分解斜視図である。
【図４】本考案の電子装置の収容ケースの構成例が示されている断面図である。
【図５】本考案の電子装置の収容ケースの構成例が示されている上面図である。
【考案を実施するための形態】
【００１０】
以下は各図面を参照して本考案の電子装置の収容ケースの好ましい実施形態について詳しく説明する。
【００１１】
図３〜図５に本考案の電子装置の収容ケースの好ましい実施形態が示されている。
【００１２】
図示のように、本考案の電子装置の収容ケースは、複数のコイルユニット３を有する電子装置を収容することができる電子装置の収容ケースであり、ケース本体４と、蓋手段６と、案内手段７とを具えている。
【００１３】
ケース本体４は、互いに平行している一対の第１の対辺４１１及び一対の第１の対辺４１１と略直交している一対の第２の対辺４１２を有するように略四角形に形成された底板４１と、該底板４１の一対の第１の対辺４１１から底板４１と略直交するように突起し、且つ互いに平行している一対の第１の側壁４２、及び一対の第２の対辺４１２から第１の側壁４２と同じ側へ突起し、且つ互いに平行している一対の第２の側壁４３を有するように形成され、底板４１と一対の第１の側壁４２と、一対の第２の側壁４３とにより、複数のコイルユニット３を有する電子装置を収容することができる収容空間４５を囲んでいて、また、収容空間４５と連通する開口が一対の第１の側壁４２及び一対の第２の側壁４３とにより形成されている。
【００１４】
更に、ケース本体４には、電子装置が有するコイルユニット３と電気的に接続することができる複数の端子５がケース本体４から突出するように取付けられており、この実施形態において、各端子５は底板４１と略直交する方向に沿って、一対の第１の側壁４２を貫通するように形成されており、そして電子装置が有するコイルユニット３は、それぞれ底板４１に取付けられているコイル部３１と、コイル部３１と該コイル部３１に対応する端子５とを電気的に接続するように、該コイル部３１と該コイル部３１に対応する端子５との間に取付けられているリード３２とを有している。
【００１５】
蓋手段６は、ケース本体４の底板４１とほぼ同じ面積を有するように対応して略四角形に形成された蓋板６１と、ケース本体４の一対の第１の側壁４２と向かい合うことができるように蓋板６１の周縁から突起する一対の第１の周壁６２、及びケース本体４の一対の第２の側壁４３と向かい合うことができるように蓋板６１の周縁から突起する一対の第２の周壁６３とを有するように形成され、蓋として前記開口を覆うようにケース本体４に取付けられることができる。
【００１６】
更に、ケース本体４の一対の第１の側壁４２それぞれの外側（収容空間４５に向かう側の反対側）には、互いに略平行している一対の第１の当接面４２１が配置形成されており、そして蓋手段６の一対の第１の周壁６２それぞれの内側（互いに向かい合う側）には、蓋手段６が蓋として前記開口を覆うようにケース本体４に取付けられる際において、一対の第１の当接面４２１と当接することができる一対の第２の当接面６２１が配置形成されている。
【００１７】
ちなみに、この構成により、開口は一対の第１の当接面４２１の間に形成されるようになっており、また、ケース本体４が有する一対の第１の側壁４２は、該第１の側壁４２が有する第１の当接面４２１と略直交し、且つ蓋手段６が有する対応の第１の周壁６２に当接して該第１の周壁６２を支持することができる支持面４２２を更に有するように形成されている。
【００１８】
案内手段７は、一対の第１の当接面４２１が互いに略平行する方向に沿って延伸するように一対の第１の当接面４２１にそれぞれ形成されている一対の第１の案内部７１と、蓋手段６の一対の第２の当接面６２１にそれぞれ形成されている一対の第２の案内部７２とを有し、この実施形態において、一対の第２の案内部７２は、一対の第２の当接面６２１にそれぞれ凹設され、且つ互いに平行している一対の案内溝であり、そして一対の第１の案内部７１は、一対の第１の当接面４２１からそれぞれ突起し、且つ一対の第２の案内部７２としての一対の案内溝にそれぞれ嵌め込まれることができるよう形成されている一対の案内突起である。
【００１９】
この構成により、蓋手段６が蓋として前記開口を覆うようにケース本体４に取付けられる際、一対の案内溝として形成された一対の第２の案内部７２は、一対の案内突起として形成された一対の第１の案内部７１とそれぞれ嵌まり合うことが出来、且つ一対の第１の案内部７１と嵌まり合いながら該第１の案内部７１の延伸方向に沿う摺動により蓋手段６が蓋として開口を覆う割合を調整することができる。
【００２０】
更に、一対の案内溝として形成された一対の第２の案内部７２には、係止突起８２がそれぞれ形成されており、そして一対の案内突起として形成された一対の第１の案内部７１には、蓋手段６が蓋として前記開口を覆う際、各係止突起８２をそれぞれ受入れて一時的に係止することができるように形成された係止凹部８１がそれぞれ形成されている。なお、図示のように、各係止突起８２及び係止凹部８１はそれぞれ半円形の断面を有し互いに対応しているので、ケース本体４または蓋手段６を構成する材料に多少の可撓性があれば、簡単に係合したりその係合を解除したりすることができる。
【００２１】
以上、本考案の好ましい実施形態を説明したが、本考案はこれに限定されるものではなく、その要旨を逸脱しない範囲で種々変更可能である。
【００２２】
例えば、ケース本体４側にある一対の第１の当接面４２１は、一対の第２の側壁４３に配置することも可能であり（この場合、一対の第２の当接面６２１はこの構成に対応して一対の第２の周壁６３に配置されることになる）、そして側壁の内側（収容空間４５に向かう側）に配置することも可能である（この場合、一対の第２の当接面６２１は周壁の外側に配置されることになる）。また、上記実施形態では、一対の第１の案内部７１は一対の案内突起として形成されているが、一対の案内溝として形成することも可能である（この場合、一対の第２の案内部７２は一対の案内突起として形成されるようになる）。
【産業上の利用可能性】
【００２３】
上記構成によれば、本考案は組み立てが終了した後でも蓋手段６のケース本体４に対する摺動で蓋手段６が蓋として開口を覆う割合を調整することができ、即ち、蓋手段６がケース本体４に取付けられたまま該開口を開け、電子装置を傷つけずに収容空間４５に便利にアクセスすることができる電子装置の収容ケースを提供することができる。
【符号の説明】
【００２４】
３          コイルユニット
３１        コイル部
３２        リード
４          ケース本体
４１        底板
４１１      第１の対辺
４１２      第２の対辺
４２        第１の側壁
４２１      第１の当接面
４２２      支持面
４３        第２の側壁
４５        収容空間
５          端子
６          蓋手段
６１        蓋板
６２        第１の周壁
６２１      第２の当接面
６３        第２の周壁
７          案内手段
７１        第１の案内部
７２        第２の案内部
８１        係止凹部
８２        係止突起
【図１】
0003203805.tif 000003
【図２】
0003203805.tif 000004
【図３】
0003203805.tif 000005
【図４】
0003203805.tif 000006
【図５】
0003203805.tif 000007